(57)【特許請求の範囲】
【請求項１】
ＰＯＳ端末装置と、該ＰＯＳ端末装置と通信ケーブルを介して接続され、該ＰＯＳ端末装置よりの通信要求に基づき当該ＰＯＳ端末装置に対して各種データを送信する計量機とからなり、前記ＰＯＳ端末装置は前記計量機への送信要求に対する応答が無い場合には、当該計量機に対して通信要求をしなくなるように構成された給油所管理システムにおいて、
前記計量機と前記ＰＯＳ端末装置との間で前記通信回線を介して行われる通信の接続モードを少なくとも通常モードと擬似モードとの何れかに切り替える通信モード切替スイッチと、
前記計量機と前記ＰＯＳ端末装置との間には、前記通信モード切替スイッチにより通常モードが選択されている場合には、前記ＰＯＳ端末装置よりの通信要求を前記計量機に対して送信すると共に、当該計量機より送信された各種データを当該ＰＯＳ端末装置へ送信し、また、前記通信モード切替スイッチにより擬似モードが選択されている場合には、前記ＰＯＳ端末装置よりの通信要求に対して前記計量機が運転中であることを示す擬似応答メッセージを送信する通信制御手段を、設けてなることを特徴とする給油所管理システム。
【発明の詳細な説明】
【０００１】
【発明の属する技術分野】
本発明は給油所管理システムに係り、特に給油所の計量機とＰＯＳ端末装置との間で各種データを送受信するのに好適な給油所管理システムに関する。
【０００２】
【従来の技術】
例えば、給油所等には複数の計量機が設置されている。そして、各計量機には、レギュラーガソリン用、ハイオクガソリン用、軽油用の各給油ノズル、給油ホース、給油ポンプ、流量計等の機器が設けられている。
各計量機に設けられた各機器は、ＰＯＳ端末装置により管理されている。このＰＯＳ端末装置では、地下タンクの残量を検出する液面計を監視すると共に、各計量機から給油された油液の給油量や油種をリアルタイムで監視しており、その時点での販売実績を算出している。また、ＰＯＳ端末装置では、油液の給油だけでなく、オイル交換や洗車機等の作動をも管理している。
【０００３】
さらに、各計量機の各機器は、異常が発生した場合には事務所内に設置されたパネルのランプが点滅するようになっている。そして、メンテナンス会社の作業員が各計量機の各機器を定期的に点検しており、各機器で異常が発生した場合にも連絡を受けたメンテナンス会社の作業員が修理を行っている。
【０００４】
【発明が解決しようとする課題】
ところが、給油所の管理システムで通信障害が発生した場合、メンテナンス会社の作業員を呼んで点検させる際に、同じように通信障害となる異常が発生しないことが多い。そのため、従来は、異常発生時の計量機とＰＯＳ端末装置との間で通信された伝文をメンテナンス作業時に再現することができず、通信障害の原因の究明が困難であった。
【０００５】
また、給油所の管理システムでは、計量機とＰＯＳ端末装置との間の通信方式がＰＯＬ／ＳＥＬ（ポーリング／セレクティング）方式により設定されている。このＰＯＬ／ＳＥＬ方式では、主局であるＰＯＳ端末装置が従局である計量機に対し順番に通信要求を尋ねる方式が採られている。そして、計量機をメンテナンスを行う際に計量機の電源スイッチをオフにすると、ＰＯＳ端末装置に対する計量機からの応答がなくなる。そのため、ＰＯＳ端末装置では、計量機との間で通信障害が発生したものと判断し、その後当該計量機に通信要求を送信しなくなるようになっている。
【０００６】
よって、メンテナンス完了後は、当該計量機の電源スイッチをオンに戻しただけでは、計量機とＰＯＳ端末装置との間が接続されていないので、計量機が使用できない状態となっている。その場合、ＰＯＳ端末装置を再起動させる必要があり、その再起動の間は他の計量機も使用できないといった問題がある。
また、従来は、計量機の情報をＰＯＳ端末装置に設定する場合、各計量機毎に入力操作しなければならない。そのため、給油所が新設されたときや計量機が増設されたときには、複数の計量機の情報をまとめて入力するため、全ての計量機の情報を入力するのに相当な時間を要していた。
【０００７】
そこで、本発明は上記課題を解決した給油所管理システムを提供することを目的とする。
【０００８】
【課題を解決するための手段】
上記課題を解決するため、本発明は以下のような特徴を有する。
本発明は、ＰＯＳ端末装置と、該ＰＯＳ端末装置と通信ケーブルを介して接続され、該ＰＯＳ端末装置よりの通信要求に基づき当該ＰＯＳ端末装置に対して各種データを送信する計量機とからなり、前記ＰＯＳ端末装置は前記計量機への送信要求に対する応答が無い場合には、当該計量機に対して通信要求をしなくなるように構成された給油所管理システムにおいて、
前記計量機と前記ＰＯＳ端末装置との間で前記通信回線を介して行われる通信の接続モードを少なくとも通常モードと擬似モードとの何れかに切り替える通信モード切替スイッチと、
前記計量機と前記ＰＯＳ端末装置との間には、前記通信モード切替スイッチにより通常モードが選択されている場合には、前記ＰＯＳ端末装置よりの通信要求を前記計量機に対して送信すると共に、当該計量機より送信された各種データを当該ＰＯＳ端末装置へ送信し、また、前記通信モード切替スイッチにより擬似モードが選択されている場合には、前記ＰＯＳ端末装置よりの通信要求に対して前記計量機が運転中であることを示す擬似応答メッセージを送信する通信制御手段を、設けてなることを特徴とするものである。
【００１０】
従って、本発明によれば、通信モード切替スイッチにより擬似モードが選択されている場合には、ＰＯＳ端末装置よりの通信要求に対して計量機が運転中であることを示す擬似応答メッセージを送信するように計量機のメンテナンス時にＰＯＳ端末装置へダミー応答を行う疑似モードを設定できるため、ＰＯＳ端末装置の再起動が不要になると共にメンテナンス終了後直ちに計量機を使用できる。
【００１３】
【発明の実施の形態】
以下、図面と共に本発明の実施の形態について説明する。
図１は本発明になる給油所管理システムの一実施例を示す構成図である。また、図２は各計量機との通信を行う制御機器のブロック図である。
図１に示されるように、給油所には、複数の計量機１１1 〜１１4 と、各計量機１１1 〜１１4 の給油データを管理するＰＯＳ端末装置１２と、各計量機１１1 〜１１4 とＰＯＳ端末装置１２との通信を行う通信制御装置１３とからなる給油所管理システムが設置されている。
【００１４】
通信制御装置１３は、各計量機１１1 〜１１4 からの給油データを管理する制御装置１５と、ＣＲＴディスプレイよりなる表示装置１６と、キーボードよりなる入力装置１７とより構成されている。また、通信制御装置１３は、通信ケーブル１８によりＰＯＳ端末装置１２と接続されており、通信ケーブル１９により各計量機１１1 〜１１4 と接続されている。
【００１５】
そのため、通信制御装置１３は、通信ケーブル１８，１９を介して各計量機１１1 〜１１4 からの給油データをＰＯＳ端末装置１２に送信すると共に、ＰＯＳ端末装置１２からの応答信号（例えば、給油許可信号等）を各計量機１１1 〜１１4 へ送信する。尚、通信ケーブル１８，１９は、半二重回線よりなり、前述したＰＯＬ／ＳＥＬ（ポーリング／セレクティング）方式が計量機１１1 〜１１4 とＰＯＳ端末装置１２との間の通信方式として設定されている。また、通信制御装置１３は、公衆回線２０と接続されており、外部のコンピュータと通信可能に設けられている。
【００１６】
また、通信制御装置１３のメモリには、異常発生時に各計量機１１1 〜１１4 とＰＯＳ端末装置１２との間で通信されたメッセージ（通信伝文）を記憶させる記憶手段としての制御プログラムが格納されている。また、通信制御装置１３のメモリには、計量機１１のメンテナンス時にＰＯＳ端末装置１２へダミー応答を行う疑似モードが設定される通信制御プログラムと、複数の計量機１１1 〜１１4 の夫々の通信アドレスを自動設定するアドレス設定制御プログラムと、外部機器からの要求によりメモリに記憶された計量機１１からの情報を送信する送信制御プログラムとが格納されている。
【００１７】
図２に示されるように、通信制御装置１３は、メッセージ記憶装置２１と、異常検出装置２２と、メッセージ出力装置２３とを有する。メッセージ記憶装置２１は、通信制御装置１３で各計量機１１1 〜１１4 及びＰＯＳ端末装置１２から送信されたメッセージを記憶しており、記憶してから一定期間経過すると順次古いメッセージを消去するが、異常発生時のメッセージは消去せずに記憶したまま保存する。
【００１８】
異常検出装置２２は、各計量機１１1 〜１１4 で何らかの異常が発生した場合、各計量機１１1 〜１１4 からの異常検知信号に基づいてメッセージ記憶装置２１へ異常検出を通知する。そして、メッセージ記憶装置２１では、異常検出装置２２からの異常検出通知を受け取ると、当該異常検出通知に対応するメッセージを消去不可状態に記憶する。
【００１９】
また、メッセージ出力装置２３は、入力装置１７あるいは外部からの異常メッセージを要求されたとき、メッセージ記憶装置２１に記憶された異常メッセージを出力する。
また、各計量機１１1 〜１１4 は、制御装置２４1 〜２４4 と、給油量を表示する表示器２５1 〜２５4 とを有する。制御装置２４1 〜２４4 は、流量計（図示せず）から出力された流量パルスを積算して各計量機１１1 〜１１4 で給油された給油量を求めるとともに表示器２５1 〜２５4 に給油量を表示させる。また、各計量機１１1 〜１１4 の制御装置２４1 〜２４4 は、通信ケーブル１９を介して通信制御装置１３と通信可能に接続されている。
【００２０】
図３は通信制御装置１３が実行するデータ通信の処理手順を説明するためのフローチャートである。尚、通信制御装置１３は、所定時間毎に図３に示す処理を繰り返し実行する。
図３中、通信制御装置１３は、ステップＳ１（以下「ステップ」を省略する）で受信したメッセージをメッセージ記憶装置２１に記憶させる。次のＳ２では、異常検出装置２２から異常メッセージが通知されたか否かを判定する。
【００２１】
Ｓ２において、異常メッセージが通知されたときは、Ｓ３に進み、異常メッセージの発生回数を加算する。また、次のＳ４で異常メッセージの発生日時をメッセージ記憶装置２１に記憶させる。そして、Ｓ５で異常検出装置２２により異常メッセージの発生が検出されたことを表示装置１６に表示させる。
上記Ｓ２において、異常メッセージが通知されないとき、あるいはＳ５の処理が終了したときは、Ｓ６に進み、異常メッセージの発生回数を表示するか否かを判定する。入力装置１７から「ＹＥＳ」が入力されたときは、Ｓ７に移行してＳ３で加算された異常メッセージの発生回数を表示装置１６に表示させる。
【００２２】
しかし、Ｓ６において、入力装置１７から「ＮＯ」が入力されたときは、Ｓ７の処理を省略してＳ８に進む。Ｓ８では、異常メッセージの内容を表示するか否かを判定する。入力装置１７から「ＹＥＳ」が入力されたときは、Ｓ９に移行して異常メッセージの内容を表示装置１６に表示させる。
しかし、Ｓ８において、入力装置１７から「ＮＯ」が入力されたときは、Ｓ９の処理を省略してＳ１０に進む。Ｓ１０では、外部装置へ異常メッセージのデータを転送するか否かを判定する。入力装置１７から「ＹＥＳ」が入力されたときは、Ｓ１１に移行して異常メッセージをメッセージ出力装置２３から公衆回線２０を介して送信する。
【００２３】
しかし、Ｓ１０において、入力装置１７から「ＮＯ」が入力されたときは、Ｓ１１の処理を省略してＳ１２に進む。Ｓ１２では、メッセージ記憶装置２１にデータ用の空き容量があるかどうかを確認する。メッセージ記憶装置２１にデータ用の空き容量があるときは、Ｓ１３に進み、予めメッセージ記憶装置２１に設定されたデータ保存時間が経過したか否かを判定する。そして、上記Ｓ１２において、メッセージ記憶装置２１にデータ用の空き容量がないとき、あるいはＳ１３においてデータ保存時間経過したときはＳ１４に進み、メッセージ記憶装置２１で最も古いデータが記憶されている記憶エリアに今回のメッセージを上書きするように記憶動作を開始させる。
【００２４】
また、Ｓ１３においてデータ保存時間を経過していないときは、あるいはＳ１４の処理が終了したときは、Ｓ１５に進み、メッセージ記憶装置２１に記憶されている古いデータを消去するか否かを判定する。例えば入力装置１７から「ＹＥＳ」が入力されたとき、あるいはメッセージ記憶装置２１のリセットスイッチ（図示せず）がオンに操作されると、Ｓ１６に進み、メッセージ記憶装置２１に記憶された全てのデータが消去される。
【００２５】
また、Ｓ１５において、入力装置１７から「ＮＯ」が入力されたとき、あるいはメッセージ記憶装置２１のリセットスイッチ（図示せず）が操作されなかったときはＳ１６の処理を省略して今回の処理を終了する。
このように、異常発生時に計量機１１1 〜１１4 とＰＯＳ端末装置１２との間で通信されたメッセージがメッセージ記憶装置２１で記憶されるため、例えばメンテナンス時に作業員が異常発生時のメッセージを再現して異常発生の内容を正確に確認できる。そのため、メッセージ記憶装置２１から読み出された異常メッセージに基づいて異常発生の原因を究明することができる。これにより、メンテナンス作業員は、異常発生の原因を調べるための時間が短縮され、異常原因に応じた修理作業を能率良く行うことができる。
【００２６】
図４は本発明の変形例１の通信処理を説明するためのフローチャートである。尚、各計量機１１1 〜１１4 には、図２中破線で示すように、通信制御装置１３との接続モードを通常・無応答・疑似モードの３段階に切り替える通信モード切替スイッチ２６が設けられている。この通信モード切替スイッチ２６は、手動操作により切替えられると共に、通信制御装置１３が計量機１１1 〜１１4 から送信された電源オンのメッセージを受信すると、当該計量機１１の受信モードを通常モードに自動的に切り替えることもできる。
【００２７】
図４中、Ｓ２１において、ＰＯＳ端末装置１２から通信制御装置１３にメッセージが送信されると、Ｓ２２に進み、計量機１１1 〜１１4 の状態を確認する。Ｓ２２において、各計量機１１1 〜１１4 の状態が無応答モードであるときは、何らメッセージを送信せず、今回の処理を終了する。
しかし、Ｓ２２において、各計量機１１1 〜１１4 の状態が疑似モードであるときは、Ｓ２３に進み、疑似応答メッセージを作成する。そして、Ｓ２４で通信制御装置１３からＰＯＳ端末装置１２へ疑似応答メッセージを送信する。これにより、ＰＯＳ端末装置１２は、各計量機１１1 〜１１4 が運転中であると認識する。
【００２８】
すなわち、ＰＯＳ端末装置１２は、各計量機１１1 〜１１4 がソフト的に接続されていると認識できる。そのため、例えばメンテナンス時に当該計量機１１のモードを疑似モードにしておき、メンテナンス終了時に通常モードに切り替えることにより、システム全体の電源をオフ・オンして再起動させる必要がなくなる。
【００２９】
また、上記Ｓ２２において、各計量機１１1 〜１１4 の状態が通常モードであるときは、Ｓ２５に進み、通信制御装置１３から各計量機１１1 〜１１4 へメッセージを送信する。その後Ｓ２６に進み、各計量機１１1 〜１１4 から通信制御装置１３へ応答メッセージを送信する。そして、Ｓ２４で通信制御装置１３からＰＯＳ端末装置１２へ応答メッセージを送信する。
【００３０】
このように、通常、通信制御装置１３は、各計量機１１1 〜１１4 からの応答メッセージをそのままＰＯＳ端末装置１２へ送信する。しかしながら、メンテナンス中等で電源スイッチがオフに操作された計量機１１があるときは、疑似応答メッセージを作成してＰＯＳ端末装置１２へ送信するため、ＰＯＳ端末装置１２の再起動が不要になると共にメンテナンス終了後直ちに計量機１１1 〜１１4 を使用できる。
【００３１】
図５は変形例１で通信制御装置１３が実行する制御処理のフローチャートである。
図５中、Ｓ３１において、ＰＯＳ端末装置１２から送信されたメッセージに記載されたＳＡ（Station Address ）と一致する計量機１１があるかどうかをチェックする。メッセージのＳＡと一致する計量機１１がないときは、今回の処理をここで終了する。しかし、メッセージのＳＡと一致する計量機１１があるときは、Ｓ３２に進み、当該計量機１１の通信モードをチェックする。当該計量機１１の通信モードが無応答モードであるときは、今回の処理をここで終了する。
【００３２】
また、Ｓ３２において、当該計量機１１の通信モードが疑似モードであるときは、Ｓ３３に進み、当該計量機１１の電源がオン状態に復帰したか否かを判定する。Ｓ３３で当該計量機１１の電源がオフ状態のままであるときは、Ｓ３４に進み、ＰＯＳ端末装置１２から送信されたＰＯＬ（Polling ）を受信したか否かをチェックする。
【００３３】
Ｓ３４でＰＯＳ端末装置１２から送信されたＰＯＬが受信されたときは、Ｓ３５に進み、疑似応答メッセージ（ＥＯＴ）を作成する。そして、Ｓ３６でＰＯＳ端末装置１２へ疑似応答メッセージを送信する。しかし、Ｓ３４でＰＯＳ端末装置１２から送信されたＰＯＬが受信されていないときは、Ｓ３７に進み、疑似応答メッセージエラーを作成する。そして、Ｓ３６でＰＯＳ端末装置１２へ疑似応答メッセージエラーを送信する。
【００３４】
また、上記Ｓ３２において、通常モードが設定されているときは、Ｓ３８に進み、当該計量機１１へメッセージを送信する。そして、Ｓ３９で計量機１１からの応答メッセージを受信する。その後、上記Ｓ３６に進み、ＰＯＳ端末装置１２へ応答する。
また、上記Ｓ３３において、当該計量機１１の電源がオン状態に復帰したときは、Ｓ４０に移行して疑似モードを通常モードに変更する。その後は、上記Ｓ３８，Ｓ３９，Ｓ３６の処理を実行する。
【００３５】
このように、通信制御装置１３は、計量機１１の電源がオフ状態のとき疑似応答メッセージを作成してＰＯＳ端末装置１２へ送信する。そのため、ＰＯＳ端末装置１２は、メンテナンス中の計量機１１があっても各計量機１１1 〜１１4 が運転中であると認識する。従って、メンテナンス時に計量機１１の電源がオフになってもＰＯＳ端末装置１２の再起動が不要になると共に、メンテナンス終了後直ちに計量機１１1 〜１１4 を使用できる。
【００３６】
図６は本発明の変形例２の通信処理を説明するためのフローチャートである。通信制御装置１３は、以下のようにして情報設定を行う。
図６中、Ｓ４１において、計量機１１1 〜１１4 の中から入力装置７の操作により指定された設定すべき計量機１１を特定する。
次のＳ４２では、情報設定の各項目（例えば計量機１１の形式、器物番号、設置年月日、メンテナンス来歴、通信アドレス、ノズル毎の油種、自動満タン機構の有無、油種検知の有無、積算値等）のメニューから一の項目を特定する。続いて、Ｓ４３に進み、特定した項目を入力する。そして、Ｓ４４で入力情報をメモリに記憶する。
【００３７】
その後、Ｓ４５に進み、全項目終了したか否かをチェックする。Ｓ４５において、全項目の入力情報を記憶していないときは、Ｓ４２に戻り、Ｓ４２〜Ｓ４５の処理を繰り返す。また、Ｓ４５において、全項目の入力情報を記憶したときは、上記Ｓ４１に戻り、Ｓ４１以降の処理を実行する。
このように、通信制御装置１３は、各計量機１１1 〜１１4 のメンテナンスに必要な項目をメモリに登録させる。
【００３８】
図７は通信制御装置１３が通信アドレスを自動設定するときの計量機１１の制御装置２４が実行する処理を説明するためのフローチャートである。
図７中、Ｓ５１において、計量機指定用信号がオンかどうかをチェックする。そして、計量機指定用信号がオンであるときは、Ｓ５２に進み、通信ポートから通信アドレス設定メッセージが受信されたか否かをチェックする。Ｓ５２において、通信アドレス設定メッセージがないときは、Ｓ５１に戻る。
【００３９】
しかし、Ｓ５２において、通信ポートから通信アドレス設定メッセージが受信されたときは、Ｓ５３に進み、計量機１１のアドレスを通信アドレス設定メッセージ中の通信アドレスに設定する。
続いて、Ｓ５４で通信アドレス設定完了メッセージを通信制御装置１３に送信する。その後、Ｓ５１に戻る。
【００４０】
このように、通信制御装置１３は、各計量機１１1 〜１１4 に対し個々の通信アドレスを自動的に設定することができる。そのため、給油所が新設される場合でも、複数の計量機１１1 〜１１4 の通信アドレスを手動操作で入力する必要がないので、操作者の手間を削減することができる。
図８は通信制御装置１３が公衆回線２０を介して通信するときの処理を説明するためのフローチャートである。
【００４１】
図８中、Ｓ６１において、外部機器からのメッセージが受信されているか否かをチェックする。Ｓ６１でメッセージが受信されているときは、Ｓ６２に進み、メッセージが情報の送信要求か、あるいは受信要求かを判定する。Ｓ６２において、受信要求のメッセージが受信されたものと判定されたときは、Ｓ６３に進み、メッセージの項目がメモリの記憶内容に存在するか否かをチェックする。
【００４２】
Ｓ６３において、メッセージの項目がメモリの記憶内容に存在するときは、Ｓ６４に進み、受信メッセージが該当しない旨のメッセージを送信する。そして、上記Ｓ６１に戻る。
しかし、上記Ｓ６２において、送信要求のメッセージが受信されたものと判定されたときは、Ｓ６５に進み、指定された情報をメモリから読み出し送信メッセージを作成する。そして、Ｓ６６で、作成された送信メッセージを送信する。そして、上記Ｓ６１に戻る。
【００４３】
また、Ｓ６３において、メッセージの項目がメモリの記憶内容に存在しないときは、Ｓ６７に進み、メモリの記憶を更新する。その後、Ｓ６８で受信メッセージを正常に受信した旨のメッセージを送信する。そして、上記Ｓ６１に戻る。
尚、上記Ｓ６２において、受信要求のメッセージでもなく、送信要求のメッセージでもないときは、Ｓ６４に移行して受信メッセージが該当しない旨のメッセージを送信する。
【００４４】
このように、通信制御装置１３は、例えばメンテナンス会社等に設置されたコンピュータ等の外部機器より送信要求があったときは、指定された情報をメモリから読み出し送信メッセージを作成して送信するため、計量機１１で異常が発生した場合、現場に到着する前に異常発生の原因を確認することができる。よって、予め修理に必要な修理部品や工具等を準備することが可能となり、且つメンテナンスの作業員が給油所に到着した時点で異常発生の原因分かっているので、直ちに修理作業に入ることができ、従来よりも作業効率が高められ、短時間で修理作業を終えることが可能になる。
【００４５】
また、従来のように異常発生の原因が分からず、給油所に到着してから異常発生の原因を調べ、別の日に異常原因に対処できるように修理部品や工具等を準備して出向くといった２度手間がなくなり、メンテナンス作業を能率良く行うことができる。
尚、上記実施例では、地上設置型の給油装置を一例として挙げたが、これに限らず、例えば給油ノズルを昇降させる懸垂式給油装置にも適用できるのは勿論である。
【００４６】
【発明の効果】
上述の如く、本発明によれば、通信モード切替スイッチにより擬似モードが選択されている場合には、ＰＯＳ端末装置よりの通信要求に対して計量機が運転中であることを示す擬似応答メッセージを送信するように計量機のメンテナンス時にＰＯＳ端末装置へダミー応答を行う疑似モードを設定できるため、ＰＯＳ端末装置がメンテナンス中の計量機があっても当該計量機が運転中であるものと認識できる。そのため、メンテナンス時に計量機の電源がオフになってもＰＯＳ端末装置の再起動が不要になると共に、メンテナンス終了後直ちに計量機を使用できる。
【図面の簡単な説明】
【図１】本発明になる給油所管理システムの一実施例を示す構成図である。
【図２】各計量機との通信を行う制御機器のブロック図である。
【図３】通信制御装置が実行するデータ通信の処理手順を説明するためのフローチャートである。
【図４】本発明の変形例１の通信処理を説明するためのフローチャートである。
【図５】変形例１で通信制御装置が実行する制御処理のフローチャートである。
【図６】本発明の変形例２の通信処理を説明するためのフローチャートである。
【図７】通信制御装置が通信アドレスを自動設定するときの計量機の制御装置が実行する処理を説明するためのフローチャートである。
【図８】通信制御装置が公衆回線を介して通信するときの処理を説明するためのフローチャートである。
【符号の説明】
１１1 〜１１4   計量機
１２  ＰＯＳ端末機
１３  通信制御装置
１５  制御装置
１６  表示装置
１７  入力装置
１８，１９  通信ケーブル
２０  公衆回線
２１  メッセージ記憶装置
２２  異常検出装置
２３  メッセージ出力装置
２４1 〜２４4   制御装置
２５1 〜２５4   表示器
２６1 〜２６4   通信モード切替スイッチ
【図１】
0003865162.tif 000002
【図２】
0003865162.tif 000003
【図３】
0003865162.tif 000004
【図４】
0003865162.tif 000005
【図５】
0003865162.tif 000006
【図６】
0003865162.tif 000007
【図７】
0003865162.tif 000008
【図８】
0003865162.tif 000009